(57)【特許請求の範囲】
【請求項１】
番組を視聴したか、録画したかなどの動作モードを判別する動作モード判別情報と、視聴時間の履歴や録画予約時間の履歴をそれぞれ識別情報としてメモリすると共に、
この識別情報とテレビジョン信号中に重畳された電子番組情報とを照合し、
上記識別情報と一致した番組が存在する場合、その番組を上記動作モード判別情報に従った動作モードに設定するようにし、
上記動作モードが設定された番組の動作時間の到来によって、設定された動作モードに自動的に遷移する動作モード設定方法。
【請求項２】
上記動作モード判別情報は、番組の視聴モード、録画モードおよび番組を視聴しながら別の番組を録画する併用モードである請求項１記載の動作モード設定方法。
【請求項３】
上記視聴時間、録画予約時間は週単位であって、週単位に照合処理が実行される請求項１記載の動作モード設定方法。
【請求項４】
番組を受信する受信手段と、
受信された番組を視聴したか、録画したかなどの動作モードを判別する動作モード判別情報と、視聴時間の履歴や録画予約時間の履歴をそれぞれ識別情報としてメモリする第１のメモリ手段と、
上記受信手段により受信可能な番組の電子番組情報をダウンロードしてメモリする第２のメモリ手段と、
上記識別情報と上記電子番組情報とを照合し、上記識別情報と一致した番組が存在する場合、その番組を上記動作モード判別情報に従った動作モードに設定するように制御する制御手段と、
受信された番組を表示手段に出力する出力手段と、
受信された番組を録画する録画手段と、
を備え、
上記制御手段は、動作モードが設定された番組の動作時間の到来によって、上記出力手段又は／及び上記録画手段を制御し、設定された動作モードへ自動的に遷移する受信装置。
【請求項５】
感知センサが設けられ、この感知センサによって不在が確認されたときには、視聴モードへの遷移を禁止する請求項４記載の受信装置。
【請求項６】
上記感知センサは、赤外線センサ、超音波センサである請求項５記載の受信装置。
【請求項７】
上記動作モード判別情報は、番組の視聴モード、録画モードおよび番組を視聴しながら別の番組を録画する併用モードである請求項４記載の受信装置。
【請求項８】
上記視聴時間、録画予約時間は週単位であって、週単位に照合処理が実行される請求項４記載の受信装置。
【発明の詳細な説明】
【０００１】
【発明の属する技術分野】
この発明は、動作モード設定方法および受信装置に関する。詳しくは、受信可能な番組の電子番組情報を利用することで、一度視聴した番組や録画予約した番組を再度設定し直すことなく自動的に設定できるようにしたものである。
【０００２】
【従来の技術】
テレビ番組を予約する場合、通常は新聞等のテレビ欄にテレビ番組と一緒に記載された番組予約コードいわゆるＧコード（８桁の数字列）をユーザ自身が入力するようにしている。
【０００３】
【発明が解決しようとする課題】
ところで、このＧコードは、このＧコードによって指定されたテレビ番組の録画が終了すると、その後同じテレビ番組の録画を予約する場合でも再度入力する必要がある。つまり、Ｇコードによって表される録画日時が過ぎると無効となるコード列である。
【０００４】
したがって、録画したいテレビ番組が多数あるときには、Ｇコードを入力する作業も面倒になるし、入力ミスによって目的のテレビ番組を録画し損ねることもしばしば経験する。
【０００５】
過去に録画予約してあるようなときには、毎週そのテレビ番組を録画して視聴する場合が多いと思われるから、このような場合には前回の録画予約が有効になっていれば、再度録画予約する手間も省け、さらには予約し忘れもなくなるから、ユーザにとっては非常に便利である。また、最近では録画容量も従来よりは格段に増えていることから、このような録画予約機能を付加しても、録画容量が不足するような事態を回避できると考えられる。
【０００６】
また、ユーザが視聴したいテレビ番組も好みがあり、好みのテレビ番組は毎週視聴するのが一般的である。好みのテレビ番組を毎回視聴したいと考えている場合でも、多忙なときや、家族と団らんしているようなときには、忘れてそのテレビ番組を見損なうこともしばしば経験する。
【０００７】
そこで、この発明はこのような従来の課題を解決したものであって、特に過去に録画予約の設定がなされているようなときや、毎回視聴するような番組の場合には、次の週も自動的に録画予約したり、その番組を視聴できるようにした動作モード設定方法および受信装置を提案するものである。
【０００８】
【課題を解決するための手段】
上述の課題を解決するため、請求項１に記載したこの発明に係る動作モード設定方法では、番組を視聴したか、録画したかなどの動作モードを判別する動作モード判別情報と、視聴時間の履歴や録画予約時間の履歴をそれぞれ識別情報としてメモリすると共に、この識別情報とテレビジョン信号中に重畳された電子番組情報とを照合し、上記識別情報と一致した番組が存在する場合、その番組を上記動作モード判別情報に従った動作モードに設定する。
【０００９】
また、請求項５に記載したこの発明に係る受信装置では、番組を受信する受信手段と、受信された番組を視聴したか、録画したかなどの動作モードを判別する動作モード判別情報と、視聴時間の履歴や録画予約時間の履歴をそれぞれ識別情報としてメモリする第１のメモリ手段と、上記受信手段により受信可能な番組の電子番組情報をダウンロードしてメモリする第２のメモリ手段と、上記識別情報と上記電子番組情報とを照合し、上記識別情報と一致した番組が存在する場合、その番組を上記動作モード判別情報に従った動作モードに設定するように制御する制御手段とを備える。
【００１０】
この発明では、ユーザの番組履歴情報を生成する。番組履歴情報は、視聴時間の履歴や録画予約時間の履歴に関する履歴情報と、受信装置の動作モード（視聴モードか、録画モードか、視聴しながら裏番組の録画を行う併用モードかの区別）の判別情報である。番組履歴情報は例えば一週で完成するようにする。
【００１１】
次に、受信可能な番組の電子番組情報を利用して番組履歴情報との照合処理を行う。一致したときには、その動作モードを実行する。例えば録画モードであるときには、その番組を自動的に録画する。こうすることによって、録画し忘れ、番組の視聴し忘れなどを防止できるし、その都度繰り返し行う必要のある番組予約処理を一掃できる。
【００１２】
【発明の実施の形態】
続いて、この発明に係る動作モード設定方法および受信装置の一実施形態を図面を参照して詳細に説明する。図１はこの発明に係る受信装置の一例であるテレビ受像機の実施の形態で、テレビ番組の自動設定機能を有する。図１において、アンテナ１２などで受信されたテレビジョン信号はチューナ１４に供給されて希望するチャネル（テレビ番組）が選択される。選択されたテレビ番組のテレビジョン信号は映像信号処理回路１６に供給されてそのテレビ番組の映像信号が復調される。復調された映像信号はテレビモニタ手段１８に供給されて映像が再生される。テレビモニタ手段１８は液晶よりなる表示手段や陰極線管などである。
【００１３】
この発明では液晶処理回路１６で復調された映像信号がマイコンで構成された制御部２０に供給されると共に、チューナ１４で受信したテレビジョン信号のうち電子番組情報が供給される。
【００１４】
制御部２０にはタイマー２２が内蔵されると共に、この制御部２０には第１および第２のメモリ手段２４，２６が関連されている。第１のメモリ手段２４にはユーザが予約したり、視聴したりしたテレビ番組や曜日、時間帯などの情報が番組履歴情報としてメモリされている。また、制御部２０の指示によって第２のメモリ手段２６には電子番組情報がダウンロードされてメモリされる。電子番組情報が週単位ならばその週単位の番組情報がストアされる。
【００１５】
制御部２０は録画手段２８に対する各種制御も行う。録画手段２８の記録媒体としてはハードディスク（ＨＤＤ）や半導体メモリなどを使用することができる。またキー操作部３０からのキー情報もこの制御部２０に供給され、テレビ番組の選択、予約などが実行される。
【００１６】
この実施の形態では、さらにテレビ受像機のキャビネット（セット）前面に感知センサ３２が設置され、その感知出力が制御部２０に供給される。この感知センサ３２は在室か、不在かを判別するためのものであって、赤外線感知センサや超音波感知センサなどが使用される。
【００１７】
上述した制御部２０では、ユーザの番組履歴情報の生成、電子番組情報との照合処理、照合結果の映像映出処理（モニタ表示処理）、録画処理などが実行される。
まず、ユーザの番組履歴情報の生成であるが、これはユーザが新聞などのテレビ欄などからユーザが視聴したいテレビ番組や録画したいテレビ番組を選択したとき、その履歴を第１のメモリ手段２４に保存する処理である。
【００１８】
図２は、あるユーザの×月×日における番組履歴情報の一例である。この例では、６時から１時間チャネル１のテレビ番組を視聴し、昼の１時から３時までの間、チャネル３のテレビ番組を録画予約し、そして、夜の６時から７時までの間、チャネル１を見ながらチャネル３のテレビ番組を予約している。
【００１９】
このような番組履歴情報が週単位でメモリされる。ＣＲＴ番組履歴情報とは、テレビ受像機の動作モードに関する判別情報と時間帯の履歴情報を含めた識別情報である。ここにテレビ受像機の動作モードとしては、テレビ番組の視聴モード、録画モードおよび視聴しながら録画する併用モードが考えられる。
【００２０】
次に制御部２０では、チューナ出力を監視し、テレビジョン信号中に電子番組情報が重畳されているときは、その情報を第２のメモリ手段２６にダウンロードする。
そして、第１のメモリ手段２４にユーザの番組履歴情報がメモリされているときは、その番組履歴情報と電子番組情報との照合処理を行い、識別情報と一致したテレビ番組が存在するときは、動作モード判別情報にしたがった動作モードを再現する。例えば図２のような番組履歴情報がメモリされていたときには、１週間後の同じ時間帯の到来によって、例えばその日の朝の６時になるとテレビ受像機の電源が自動的にオンして、チャネル１が受信される。これでユーザの手を煩わせることなくチャネル１を視聴できる。このときユーザが在室していないときには、テレビ受像機を動作させても無駄であるので、電源を切る。電源を切るかどうかの選択は感知センサ３２の出力の有無によって判断する。
【００２１】
同様に、昼の１時になるとチャネル３の録画モードに自動的に遷移する。これによって毎週同じ時間帯で放送されるテレビ番組を録画できるから、録画予約のし忘れを解消できる。録画処理は不在の場合でも実行される。テレビ番組を見ながら、別のテレビ番組を録画するいわゆる裏番組の録画も可能である。
【００２２】
したがって制御部２０内のメモリ３４に格納された制御プログラムでは次のような処理が実行されることになる。
図３はユーザの番組履歴情報を生成するための処理例を示すもので、電源オンによって処理が開始される。まずテレビ番組の視聴のみかどうかを判断し（ステップ４１）、番組視聴であるときには、その番組終了を待って、選択した動作モード（視聴モード）と、チャネル、放送時間帯（曜日と時間）を識別情報として第１のメモリ手段２４にメモリする（ステップ４２）。
【００２３】
動作モードが視聴モードではなく、録画モードのみであるときには（ステップ４３）、録画チャネルと、録画時間帯（曜日と時間）を識別情報として第１のメモリ手段２４にメモリする（ステップ４４）。テレビ番組の視聴と同時に録画予約を行うと判断されたときには（ステップ４５）、テレビ番組の視聴と同時に録画予約処理を行い、それらの識別情報を第１のメモリ手段２４に番組履歴情報としてメモリする（ステップ４６，４７）。
【００２４】
このような処理を毎日行うことによって、そのユーザに関する１週間の番組履歴情報が生成される。
生成された番組履歴情報は電子番組情報と照合される。図４はその照合処理を行うときの処理ステップを示す。
【００２５】
第１のメモリ手段２４から当日の番組履歴情報を読み出すと共に、第２のメモリ手段２６から当日の電子番組情報を読み出す（ステップ５１）。次に両者を照合する（ステップ５２）。照合の結果、動作モードが視聴モードであると判断されたときには（ステップ５３）、感知センサ３２の出力を判別する（ステップ５４）。
【００２６】
感知センサ３２として赤外線感知センサを使用するときは、ユーザが在室していればセンサ出力が「１」となり、不在のときはセンサ出力は「０」になるから、在室しているときには前週に見た同じテレビ番組が自動的に受信されて、その映像をモニタ１８に映し出す（ステップ５５）。不在であると判別されたときにはテレビ番組視聴時間が到来してもテレビ番組は受信されない。これで無駄を省くことができる。
【００２７】
また、照合の結果、動作モードが録画モードであるときには、そのテレビ番組の録画予約時間の到来によってそのテレビ番組が自動的に録画される（ステップ５６，５７）。ここで、併用モードであるときはステップ５３と５６の判断処理によってそれぞれテレビ番組を自動的に受信できると共に、テレビ番組を自動的に録画予約できる。この処理は主電源がオフするまで続く（ステップ５８）。
【００２８】
【発明の効果】
以上説明したようにこの発明では、テレビジョン信号中に重畳された電子番組情報を利用して番組履歴情報との照合処理を行い、一致したときには、その動作モードを自動的に実行するようにしたものである。
【００２９】
こうすることによって、番組履歴情報に録画予約の履歴があれば、その放送時間帯になると自動的に録画モードとなる。その結果、録画し忘れ、テレビ番組の視聴し忘れなどを防止できるし、その都度繰り返し行われる番組予約処理を一掃できるなどと言った特徴を有する。
【図面の簡単な説明】
【図１】この発明に係るテレビ番組自動設定機能を有するテレビ受像機の実施の形態を示す要部の系統図である。
【図２】番組履歴情報の一例を示す説明図である。
【図３】番組履歴情報生成処理例を示すフローチャートである。
【図４】テレビ番組の自動設定処理例を示すフローチャートである。
【符号の説明】
１０  テレビ受像機
１４  チューナ
１６  映像信号処理回路
１８  テレビモニタ
２０  制御部
２４，２６  メモリ手段
２８  録画手段
３０  キー操作部
３２  感知センサ
【図１】
0004655394.tif 000002
【図２】
0004655394.tif 000003
【図３】
0004655394.tif 000004
【図４】
0004655394.tif 000005